(57)【要約】【課題】  複数のリールによる表示図柄を遊技者に対して移動させる演出を与える表示装置を含む回胴式遊技機において、簡便な機構で且つ振動やこれに伴う動作音の発生を抑制できるリールの移動機構を組み込んだ回胴式遊技機の提供。【解決手段】  リールの表面に描かれた図柄の並びによって遊技結果を表示させる表示装置を含む回胴式遊技機であって、リールとこれを回転駆動させるための駆動機構とを含むリールユニットと、リールユニットを吊り下げて複数並べ収容する収容枠と、収容枠を支持する基台と、を含み、前記リールを前記基台に対して相対的に移動せしめる駆動機構を有することを特徴とする。【選択図】図３
2015173880.tif 000002
【特許請求の範囲】
【請求項１】
リールの表面に描かれた図柄の並びによって遊技結果を表示させる表示装置を含む回胴式遊技機であって、
前記リールとこれを回転駆動させるための回転駆動機構とを含むリールユニットと、
前記リールユニットを吊り下げて複数並べ収容する収容枠と、
前記収容枠を支持する基台と、を含み、
前記リールを前記基台に対して相対的に移動せしめる駆動機構を有することを特徴とする回胴式遊技機。
【請求項２】
前記駆動機構は、前記基台に対して前記収容枠を左右方向に揺動せしめる収容枠揺動駆動機構を含むことを特徴とする請求項１記載の回胴式遊技機。
【請求項３】
前記収容枠は、上部に揺動軸を有するとともに、下部に設けられた摺動溝内に前記基台に設けられた摺動ピンを収容させて前記揺動軸の周りで揺動することを特徴とする請求項２記載の回胴式遊技機。
【請求項４】
前記収容枠揺動機構はクランク機構により前記収容枠を揺動せしめることを特徴とする請求項２又は３に記載の回胴式遊技機。
【請求項５】
前記駆動機構は、前記収容枠に取り付けられる軸体支持部材に取り付けられた吊下軸に前記リールユニットを吊下して前記収容枠に対して前後に揺動せしめるリールユニット揺動駆動機構をさらに含むことを特徴とする請求項１乃至４のうちの１つに記載の回胴式遊技機。
【請求項６】
前記リールユニット揺動駆動機構はクランク機構により前記リールユニットを揺動せしめることを特徴とする請求項５記載の回胴式遊技機。
【請求項７】
前記駆動機構は、前記軸体支持部材を前記収容枠に対して上下に移動せしめる上下駆動機構をさらに含むことを特徴とする請求項１乃至６のうちの１つに記載の回胴式遊技機。
【発明の詳細な説明】
【技術分野】
【０００１】
本発明は、複数のリールをそれぞれ回動させ該リール表面に描かれた図柄の並びによって遊技結果を表示させる表示装置を含む回胴式遊技機に関し、特に、リールの回転以外の演出を与えることの可能な表示装置を含む回胴式遊技機に関する。
【背景技術】
【０００２】
一般に、パチスロ機と称される回胴式遊技機においては、複数のリールをそれぞれ回転させ、これを停止させて該リールの表面に描かれた図柄の並びを遊技者に向けて表示させてゲームの結果等を該遊技者に告知している。かかるリールを含む表示装置では、該リールの回転に加えて各種の演出を与えて遊技者の興趣を高めようとすることが多く提案されており、特に、リールを移動等させて演出を与え得る表示装置が提案されている。
【０００３】
例えば、特許文献１では、リールによる表示図柄を左右に移動させる演出を行い得る遊技機が開示されている。左右に延びる回転軸上には３つの小径リールが同軸回転するように取り付けられている。この回転軸に沿って小径リールの外側には大径リールが配置されており、該回転軸と平行に移動自在である。つまり、大径リールの外周に描かれた図柄が左右に移動し、大径リールが小径リールを覆う位置まで該回転軸に沿って移動すると、大径リールの図柄が遊技者に視認されるようになるのである。かかる演出のための機構において、大径リールは、回転軸と平行なフレームに取り付けられたスライダーに懸下されて取り付けられており、内部に収容された回転駆動機構により自転しながら、駆動機構によってスライダーに沿って移動するのである。
【０００４】
また、リールによる表示図柄を遊技者に対して前後に移動させる演出を行い得る表示装置を含む回胴式遊技機も提案されている。ここでは同軸回転する複数のリールについて、所定のタイミングで各リールの回転軸を前後にずらすことができるような各種機構が採用され得る。
【０００５】
例えば、特許文献２では、併置されて回転する複数のリールの表面に描かれた図柄をそれぞれ前後に移動させることで、停止後のリール表面の図柄の並びがリーチ目であることを報知するなどの演出を行い得る遊技機を開示している。かかる演出のための機構において、回転駆動機構を含む複数のリールユニットを左右に並べて保持するリール枠体を設け、筐体と該リール枠体との間に送りねじ機構を与え、リール枠体と各リールユニットとの間にラック・アンド・ピニオン機構を与えている。つまり、リール枠体が筐体に対して前後に直線移動できるとともに、各リールユニットがリール枠体に対してそれぞれ独立して前後方向に直線移動できるのである。
【０００６】
更に、特許文献３では、表示面に沿って縦３列×横３列に配置された９つのリールについて、この上に描かれた図柄のそれぞれを前後方向に移動させて、図柄の並び（組み合わせ）に関する情報を報知しようとする演出を行い得る遊技機が開示されている。ここでは、各リールユニットが遊技機の筐体に固定されたブラケットに対して前後にスライド可能とされた取付板に組み合わせられており、直動モータによって前後方向に直線移動するのである。これによって、リール表面に描かれた図柄の表示位置をリールごとに前後にずらすことができ、例えば、中央のリール表面の図柄の表示位置だけを後退させることで、他のリール表面の図柄のみが組み合わせについて用いられることを報知するのである。
【先行技術文献】
【特許文献】
【０００７】
【特許文献１】特開２００９−１７２１６７号公報
【特許文献２】特開２００４−２１５８４３号公報
【特許文献３】特開２００７−２９２７５号公報
【発明の概要】
【発明が解決しようとする課題】
【０００８】
複数のリールによる表示図柄を遊技者に対して左右及び／又は前後に移動させる演出を行うには、各リールの回転駆動機構と干渉しないように移動機構を設ける必要がある。また、移動機構が複雑になると、動作が不安定になったり、製造コストを上昇させることになり、更に、振動やこれに伴う動作音が発生しやすくなる。
【０００９】
本発明は、以上のような状況に鑑みてなされたものであって、その目的とするところは、複数のリールによる表示図柄を遊技者に対して移動させる演出を与える表示装置を含む回胴式遊技機において、簡便な機構で且つ振動やこれに伴う動作音の発生を抑制できるリールの移動機構を組み込んだ回胴式遊技機を提供することにある。
【課題を解決するための手段】
【００１０】
本発明による回胴式遊技機は、リールの表面に描かれた図柄の並びによって遊技結果を表示させる表示装置を含む回胴式遊技機であって、前記リールとこれを回転駆動させるための回転駆動機構とを含むリールユニットと、前記リールユニットを吊り下げて複数並べ収容する収容枠と、前記収容枠を支持する基台と、を含み、前記リールを前記基台に対して相対的に移動せしめる駆動機構を有することを特徴とする。
【００１１】
かかる発明によれば、リールがリールユニットを介して吊り下げられていることにより、リールを移動させて行う各種の演出を簡便な機構で可能とするとともに、振動やこれに伴う動作音の発生を抑制できる。
【００１２】
上記した発明において、前記駆動機構は、前記基台に対して前記収容枠を左右方向に揺動せしめる収容枠揺動駆動機構を含むことを特徴としてもよい。かかる発明によれば、リール表面の図柄を遊技者に対して左右に移動させる演出をリールの左右の揺動の機構で行い得て、演出のバリエーションを増やすことができる。ここで、リールユニットを複数並べて外側からこれを収容し重量の大きくなりがちな収容枠は、左右方向に揺動させられるので、比較的単純な機構で振動や動作音の発生を抑制できる。つまり、比較的単純な機構であって振動や動作音の発生を抑制しつつ、リール表面の図柄による演出のバリエーションを増やし得るのである。
【００１３】
上記した発明において、前記収容枠は、上部に揺動軸を有するとともに、下部に設けられた摺動溝内に前記基台に設けられた摺動ピンを収容させて前記揺動軸の周りで揺動することを特徴としてもよい。かかる発明によれば、少なくとも左右方向に揺動させられる収容枠について、基台に対して支持することで、収容枠駆動機構の出力を低減できるとともに、振動や動作音の発生を抑制し得るのである。
【００１４】
上記した発明において、前記収容枠揺動機構はクランク機構により前記収容枠を揺動せしめることを特徴としてもよい。かかる発明によれば、比較的単純な機構で揺動運動を与えることができて、振動や動作音の発生を抑制し得るのである。
【００１５】
上記した発明において、前記駆動機構は、前記収容枠に取り付けられる軸体支持部材に取り付けられた吊下軸に前記リールユニットを吊下して前記収容枠に対して前後に揺動せしめるリールユニット揺動駆動機構をさらに含むことを特徴としてもよい。かかる発明によれば、リール表面の図柄を遊技者に対して前後に移動させる演出を独立したリールの前後の揺動の機構で行い、演出のバリエーションをさらに増やすことができる。ここで、回転するリールを含むリールユニットは、吊下げ軸に吊り下げられて揺動するので、比較的単純な機構で振動や動作音の発生を抑制できる。つまり、比較的単純な機構であって振動や動作音の発生を抑制しつつ、リール表面の図柄による演出のバリエーションを増やし得る。
【００１６】
上記した発明において、前記リールユニット揺動駆動機構はクランク機構により前記リールユニットを揺動せしめることを特徴としてもよい。かかる発明によれば、比較的単純な機構で揺動運動を与えることができて、振動や動作音の発生を抑制し得るのである。
【００１７】
上記した発明において、前記駆動機構は、前記軸体支持部材を前記収容枠に対して上下に移動せしめる上下駆動機構をさらに含むことを特徴としてもよい。かかる発明によれば、リール表面の図柄を遊技者に対して上下に移動させる演出を独立したリールの上下の移動の機構で行い、演出のバリエーションをさらに増やすことができる。
【図面の簡単な説明】
【００１８】
【図１】本発明による遊技機で行われ得る演出を示す図である。
【図２】本発明による遊技機の正面図である。
【図３】本発明による遊技機の要部の正面図である。
【図４】本発明による遊技機の要部の側面図である。
【図５】本発明による遊技機の要部の正断面図である。
【図６】本発明による遊技機の要部の側面（一部断面）図である。
【図７】本発明による遊技機の要部の（ａ）分解側面図、及び（ｂ）分解正面図である。
【図８】遊技機の制御機構を示すブロック図である。
【発明を実施するための形態】
【００１９】
本発明による１つの実施例としての回胴式遊技機について説明する。まず、行い得る演出について、図１を用いて説明する。
【００２０】
図１（ａ）に示すように、リール表面に描かれた図柄４７をリールの回転とは別に、上下に移動させる演出を行い得る。ここで、図柄４７は遊技機の表示窓１９を介して遊技者に視認される。例えば、リールの停止後に、「はずれ」を表示する図柄４７の並びから、リールを回転させず図柄４７を上下に移動させ、「あたり」を表示する図柄４７の並びに変化させるような演出である。
【００２１】
また、図１（ｂ）に示すように、例えば、表示窓１９内の上方にある図柄４７を右に、下方にある図柄４７を左に移動させ、つまり図柄４７を左右に移動させる演出を行い得る。例えば、回転表示されている図柄４７の回転移動方向を右上から左下を向くように傾かせ、これを遊技者に有利となる押し順の報知に用いることができる。左→中央→右の押し順でいわゆる順押しを報知し、表示窓１９の上部に備えられた画像表示部９にも順押しであることを報知する表示などを合わせて行い得る。
【００２２】
さらに、図１（ｃ）に示すように、図柄４７を前後に移動させる演出を行い得る。例えば、左、中央、右の３つのリールのうち、中央のリールに描かれた図柄４７を他の図柄４７よりも後側（遊技者から見て奥側）に位置させるよう、リールの停止後に図柄４７の並びを表示させることができる。つまり、図柄４７の並びは前後にずれている。そして、図柄４７を前後に移動させる演出を行って、ずれのない図柄４７の並びを表示させる。これにより、前後にずれている場合とずれていない場合とで異なる入賞役とし、図柄４７の並びの組み合わせを増やし得る。
【００２３】
次に、上記した演出を行い得る回胴式遊技機について、図２乃至図７を用いてその詳細を説明する。
【００２４】
図２に示すように、遊技機１は回胴式遊技機であり、筐体２の前面上部の表示面３と前面下部の下パネル４とを含む。表示面３と下パネル４との間には、メダル投入口１１、レバー１２、３つのストップボタン１３、ベットボタン１４、マックスベットボタン１５、演出ボタン１６、精算ボタン１７などの操作系を有する操作部１０を備える。下パネル４の下方、すなわち筐体２の前面下にはメダル受け皿５を備え、メダル受け皿５の奥側壁面には演出等に用いられるスピーカ８を備える。また、筐体２の上端部前面や側端部前面には演出等に用いられるランプ類６を備える。表示面３の上部には液晶パネルからなる画像表示部９を備え、その下部の表示窓１９の後方にリール駆動部２０を備える。
【００２５】
リール駆動部２０は、リール４５を回転駆動させる機構を含むリールユニット４０を３つ収容している。各リール４５の表面には各ゲームの遊技結果としての入賞役を表示させるための図柄４７（図１参照）が描かれており、表示窓１９を介して視認可能とされている。リール駆動部２０は操作部１０のレバー１２の操作に応じて各リール４５を回転させ、ストップボタン１３の操作に応じて内部抽選役に基づいた停止位置で停止させる。
【００２６】
図３に示すように、リール駆動部２０は主として底面壁体２２と背面壁体２３からなる基台２１と、基台２１に支持される収容枠３０と、収容枠３０に並べて収容される３つのリールユニット４０とを含む。
【００２７】
図４を併せて参照すると、収容枠３０は、天板３１と、底板３２と、背面板３３とこれらを左右端部で上下に連結するよう前後でそれぞれ対となった柱３４とを含む。背面板３３は略中央の上端部近傍において前後方向に延びる揺動軸に沿った揺動軸体３５を介して基台２１の背面壁体２３によって軸支される。つまり、収容枠３０は揺動軸体３５に吊り下げられる。収容枠３０はさらにその左右端部で底板３２と背面板３３と前後の柱３４とを連結する補強板３６を含む。収容枠３０は、さらにリールユニット４０のそれぞれの右側において上下に延びて天板３１と底板３２とを接続する柱状レール３８を含む。柱状レール３８は前後で対になっており、対となった柱状レール３８同士で相対する側の面に上下に延びる溝３８ａを有している（図３に図６を併せて参照）。
【００２８】
収容枠３０の底板３２はその前方端から下方に延びる垂下部３２ａを有し、垂下部３２ａを介して前方に突出した位置の揺動補助板３７に接続される。揺動補助板３７は前後方向に対して略垂直な面を主面として有する板状体であり、略中央に横方向に延びて下に凸となる曲線に沿った摺動溝３７ａを有し、左右の下端を下に凸となる曲線とする支持端３７ｂを有する。摺動溝３７ａ及び支持端３７ｂの下に凸となる曲線は、揺動軸体３５の揺動軸を中心とした円の一部である。また、摺動溝３７ａには基台２１の底面壁体２２から上方に延びる支持部材２４に支持されて前方に延びる摺動軸２５が摺動自在に係合している。さらに、左右の支持端３７ｂは支持部材２４に取り付けられて前後方向に向いた回転軸により回転自在なローラ２６にそれぞれ支持されている。つまり、収容枠３０は揺動軸体３５の揺動軸を中心として左右に揺動自在であるとともに、揺動補助板３７を介して前方端の下側を摺動軸２５及びローラ２６に支持されている。これにより、収容枠３０の重量による揺動軸体３５への荷重を低減させて、収容枠３０の揺動に伴う動作音を低減することができる。
【００２９】
図４に図５を併せて参照すると、背面板３３の中央下部には下側に延びる舌状部材３３ａが接続されている。舌状部材３３ａは中央に上下方向に延びるスリット３３ｂを有している。また、舌状部材３３ａの前方にはこれと対向するように円板体３９ｂが備えられ、底面壁体２２に固定された収容枠揺動モータ３９ａにより回転可能に支持されている。円板体３９ｂにはピン３９ｃが後方に向けて突出するように植設されており、スリット３３ｂに摺動自在に貫挿されている。つまり、収容枠揺動モータ３９ａにより円板体３９ｂを回転させることでピン３９ｃを介して舌状部材３３ａを左右に移動させることができ、これにより収容枠３０を揺動軸体３５の揺動軸を中心に左右に揺動させ得る。
【００３０】
再び図３に図６を併せて参照すると、上記したように、上下に延びて前後で対になった柱状レール３８は、相対する面に開口し上下に延びる溝３８ａを有する。対となった柱状レール３８の間には、上下に延びる板状の軸体支持部材４１が備えられ、その前後の端部を溝３８ａに対して係合させることで上下に摺動自在とされている。
【００３１】
図６（ｂ）に示すように、軸体支持部材４１には、底板３２の図示しない貫通窓に貫挿されて下方に突出する舌状部材４１ａが設けられている。舌状部材４１ａは下端近傍に略水平に延びるスリット４１ｂを有している。また、舌状部材４１ａの左側（図６（ｂ）では紙面手前側）にはこれと対向するように円板体３２ｃが備えられ、底板３２に固定された軸体支持部材摺動モータ３２ｂにより回転可能に支持されている。円板体３２ｃにはピン３２ｄが右方（図６（ｂ）では紙面奥側）に向けて突出するように植設されており、スリット４１ｂに摺動自在に貫挿されている。つまり、軸体支持部材摺動モータ３２ｂにより円板体３２ｃを回転させることで、ピン３２ｄを介して舌状部材４１ａを上下に往復動させることができ、これにより軸体支持部材４１を上下に摺動させ得る。よって、後述するように軸体支持部材４１に取り付けられるリールユニット４０を上下に往復直線運動させることができる。
【００３２】
図７に示すように、軸体支持部材４１の上方端近傍には左右方向（図７（ａ）紙面手前奥方向）に延びる揺動軸を有する吊下軸体４２を備える。吊下軸体４２には軸体支持部材４１と平行な板状体であるリール取付板４３が前後方向（図７（ａ）紙面左右方向）に揺動自在に吊り下げられる。リール取付板４３の吊下軸４２より下方には、左右方向に向いた回転軸を有しリール４５を回転させるステッピングモータ４４が取り付けられる。リール取付板４３の下端には、下側に延びる舌状部材４３ａが接続されている。舌状部材４３ａは中央に上下方向に延びるスリット４３ｂを有している。また、舌状部材４３ａの右方（図７（ｂ）参照）には、これと対向するように軸体支持部材４１によって軸支された円板体４６ａが備えられ、軸体支持部材４１に固定されたリールユニット揺動モータ４６ｂにギア等を介して接続されている。円板体４６ａにはピン４６ｃが左方に向けて突出するように植設されており、スリット４３ｂに摺動自在に貫挿されている。つまり、リールユニット揺動モータ４６ｂにより円板体４６ａを回転させることでピン４６ｃを介して舌状部材４３ａを前後に移動させることができ、これによりステッピングモータ４４とともにリール４５を吊下軸体４２の揺動軸を中心として前後に揺動させ得る。つまり、リール取付板４３、ステッピングモータ４４、リール４５を含むリールユニット４０が吊下軸体４２に吊り下げられるように軸支されて前後方向に揺動可能である。
【００３３】
次に、遊技機１に備えられる制御システムについて図８を用いて説明する。
【００３４】
図８に示すように、主制御部５０は、図示しないメインＣＰＵ、ＲＯＭ、ＲＡＭなどを含み、ＲＯＭに記憶されたプログラムに従い、後述する各種操作系からの入力信号に応じて動作する。主制御部５０は副制御部５１や、電源基板５２及びリール制御基板５３に接続されるとともに、各種操作系及び表示系に接続される。操作系としては、メダル投入口１１から投入された遊技用のメダルを受け付けるセレクタ１１’、レバー１２、３つのストップボタン１３、ベットボタン１４、マックスベットボタン１５、精算ボタン１７などが挙げられる。表示系としては、ＢＥＴ数やリプレイ入賞などを表示する各種遊技用ＬＥＤ６３、メダルのクレジット数の表示や払い出し枚数の表示などを行う各種遊技用表示器６４が挙げられる。これにより、主制御部５０は、操作系の操作に応じてゲーム毎に内部抽選役を決定し、副制御部５１及びリール制御基板５３に向けて必要な出力を行いつつ、表示系への出力を行い、各ゲームの進行を司る。
【００３５】
電源基板５２はホッパー装置６１や、主電源装置６２に接続されている。これにより、主制御部５０は、電源装置基板５２を介してホッパー装置６１を動作させ、メダルの払い出しを行うことができる。
【００３６】
リール制御基板５３は、リールユニット４０の各リールを動作させるステッピングモータ４４に接続される。これにより、主制御部５０は、リール制御基板５３を介して各ステッピングモータ４４を動作させることで各リール４５を所定の速度で回転させ、内部抽選役に基づいた所定の位置で停止させることができる。
【００３７】
副制御部５１は、図示しないサブＣＰＵ、ＲＯＭ、ＲＡＭなどを含み、ＲＯＭに記憶されたプログラムに従い、主として主制御部５０からの入力に応じて動作する。副制御部５１は、リール駆動部制御基板５４及び演出画像制御基板５５に接続されるとともに、演出用のランプ類６、スピーカ８、演出ボタン１６に接続される。これにより、副制御部５１は、主制御部５０から入力される内部抽選役を示す信号に基づきゲーム毎に演出の内容を決定し、さらには操作系の入力に基づく信号や演出ボタン１６からの入力を必要に応じて受け付けて演出内容の変化を決定する。また、決定された演出を行うための信号をリール駆動部制御基板５４及び演出画像制御基板５５や、ランプ類６及びスピーカ８に向けて出力する。
【００３８】
リール駆動部制御基板５４はリール駆動部２０（図３参照）の収容枠揺動モータ３９ａ、軸体支持部材摺動モータ３２ｂ及びリールユニット揺動モータ４６ｂのそれぞれに接続されその動作を司る。これにより、副制御部５１は、選択された演出の内容に基づいて、必要に応じてリール駆動部制御基板５４を介してリール駆動部２０の各モータを動作させ、収容枠３０の左右の揺動、各リールユニット４０の上下の往復動、及び各リールユニット４０の前後の揺動を行わせる。
【００３９】
また、演出画像制御基板５５は画像表示部９に接続される。これにより、副制御部５１は、選択された演出の内容に基づいて、演出画像制御基板５５を介して画像表示部９に演出画像を表示させることができる。なお、その他については公知の回胴式遊技機と同様である。
【００４０】
次に、遊技機１の動作について図１、図２及び図８を用いて説明する。
【００４１】
図８に図２を併せて参照すると、遊技機１の主制御部５０は、遊技者の操作によりメダル投入口１１に投入された遊技用のメダルをセレクタ１１’により検出すると、メダルのベット数を加算し若しくはクレジット数を加算し、各種遊技用ＬＥＤ６３や各種遊技用表示器６４への出力を行ってメダルの投入を表示させる。ベット数の加算には、ベットボタン１４やマックスベットボタン１５からの入力信号に基づいても行い得る。遊技に必要な所定枚数のメダルをベットした状態において、遊技者により操作されたレバー１２からの入力信号を受けると、主制御部５０は、内部抽選役を所定の確率で抽選して決定するとともにリール制御基板５３を介してステッピングモータ４４によって各リール４５を回転させる。主制御部５０は、決定された内部抽選役を示す信号を副制御部５１に向けて出力する。
【００４２】
決定された内部抽選役を示す信号の入力を受けた副制御部５１は、内部抽選役に基づいて演出内容を選択し決定する。副制御部５１は、決定された演出内容に基づいて、演出画像制御基板５５を介して画像表示部９に演出画像を表示させるとともに、ランプ類６及びスピーカ８を演出内容に合わせて動作させる。ここで、決定された演出内容が特定の演出内容である場合に、副制御部５１は、リール駆動部制御基板５４を介してリール駆動部２０の各モータを動作させ、収容枠３０の左右の揺動、各リールユニット４０の上下の往復動、及び各リールユニット４０の前後の揺動の動作を行わせることができる。
【００４３】
続いて、主制御部５０は、遊技者により操作されたストップボタン１３からの入力信号を受け付けると、決定された内部抽選役や、ストップボタン１３からの入力信号を受けた時点における回転中の各リール表面の図柄４７の位置（ステッピングモータ４４の基準位置からの回転角度）、各ストップボタン１３からの入力信号を受け付けた順番（押し順）に基づいてリール４５の停止位置を決定し、決定された停止位置に従いリール制御基板５３を介してステッピングモータ４４を制御して各リール４５をそれぞれ停止させる。
【００４４】
主制御部５０は、停止させた３つのリール４５の停止位置での図柄４７の組み合わせによって当該ゲームでの入賞役を決定し、これに対応する払い出し枚数及び次ゲーム以降の遊技状態を決定する。また、決定された払い出し枚数に従い、メダルの払い出し動作を行う。払い出し動作においては、各種遊技用表示器６４のうちメダルのクレジット枚数を上昇させる表示を行い、クレジット枚数の上限に達している場合はホッパー装置６１を動作させてメダルをメダル受け皿５に導出させる。
【００４５】
主制御部５０は、また、ストップボタン１３からの入力信号を受け付けたことを示す信号を副制御部５１に向けて出力する。これを受けた副制御部５１は、決定された演出内容に従った上でリール駆動部制御基板５４を介して収容枠揺動モータ３９ａ、軸体支持部材摺動モータ３２ｂ及びリールユニット揺動モータ４６ｂのそれぞれに動作を与えることができる。かかる動作は、決定された演出内容に基づいて次のゲームを開始するまでのあらゆる任意のタイミングで行わせることができる。
【００４６】
つまり、内部抽選役に基づき副制御部５１によって選択された演出内容が、リール表面の図柄４７に回転以外の移動を与える特定の演出内容であった場合に、副制御部５１は、リール駆動部制御基板５４を介して収容枠揺動モータ３９ａ、軸体支持部材摺動モータ３２ｂ及びリールユニット揺動モータ４６ｂをそれぞれ動作させることで、収容枠３０を左右に揺動させ、リールユニット４０を上下に往復動させ、リールユニット４０を前後方向に揺動させる。このように、収容枠３０を左右に揺動させることで図１（ｂ）に示したような図柄４７を左右に移動させる演出を行い得る。また、リールユニット４０を前後に揺動させることで図１（ｃ）に示すように図柄４７を前後に移動させる演出を行うこともできる。さらに、リールユニット４０を上下に往復動させることで図１（ａ）に示したような図柄４７を上下に移動させる演出を行うこともできるのである。これらによるリール４５の表面の図柄４７を遊技者に対して左右、上下、前後に移動させる演出は、単独で又は複合して行うことができる。
【００４７】
このような、図柄４７の移動を行う演出は、上記したようなストップボタン１３の押し順の報知や、リール４５の回転の停止後に図柄４７の並びを変化させてその組み合わせを増すために用いたり、例えば、いわゆるフリーズ演出などの特定役の期待度の報知などに用いたりすることができる。つまり、遊技者に対してリール４５の表面の図柄４７に３種類の移動を与える演出を行い、これにより遊技者の興趣を高めることができるのである。これらの演出は、上記したようにレバー１２からの入力信号及び各ストップボタン１３からの入力信号をきっかけとして、また、演出ボタン１６からの入力をきっかけとして、次ゲームを開始するまでのあらゆるタイミングで行い得る。
【００４８】
このとき、複数のリールユニット４０を収容し重量の大きくなりがちな収容枠３０の左右方向の揺動を比較的単純な機構で達成したことにより振動や動作音の発生を抑制することができる。また、反転時に大きな荷重を必要とする往復直線運動などとせず、左右方向の揺動としたことでも振動や動作音の発生を抑制し得る。特に、収容枠３０の上部に揺動軸体３５を配置することで、揺動の左右端での反転位置において収容枠３０の自重による反転方向への荷重を得て、反転時の収容枠揺動モータ３９ａの出力を低減でき、振動や動作音の発生を抑制できる。また、リールユニット４０の前後の揺動についても同様に振動や動作音の発生を抑制することができる。つまり、リールユニット４０は揺動軸体３５に吊り下げられるとともに収容枠３０を介して吊下軸体４２に吊り下げられており、これによって簡便な機構によって収容枠３０とともに揺動させることができ、振動や動作音の発生を抑制できるのである。
【００４９】
さらに、収容枠３０は、円板体３９ｂ及びピン３９ｃを用いたクランク機構によって収容枠揺動モータ３９ａの回転運動を舌状部材３３ａの左右方向の移動を介した揺動軸体３５の揺動軸を中心とする揺動運動として得る。つまり、比較的単純な機構によって収容枠３０の揺動を得て、振動や動作音の発生を抑制し得る。同様に、リールユニット４０も、円板体４６ａ及びピン４６ｃを用いたクランク機構によってリールユニット揺動モータ４６ｂの回転運動を舌状部材４３ａの前後方向の移動を介した吊下軸体４２の揺動軸を中心とする揺動運動として得る。つまり、比較的単純な機構によってリールユニット４０の前後方向の揺動を得て、振動や動作音の発生を抑制し得る。
【００５０】
なお、本実施例においては、リール４５は主制御部５０によりその回動を制御されるいわゆるメインリールとして説明したが、副制御部５１によりその回動を制御されるいわゆるサブリールであってもよい。この場合、遊技結果としての図柄４７の並びは必ずしも入賞役と対応しなくともよい。
【００５１】
ここまで本発明による代表的実施例及びこれに基づく改変例を説明したが、本発明は必ずしもこれに限定されるものではなく、当業者であれば、本発明の主旨又は添付した請求項の範囲を逸脱することなく種々の代替実施例及び改変例を見出すことができるであろう。
【符号の説明】
【００５２】
２０  リール駆動部
２１  基台
３０  収容枠
４０  リールユニット
４１  軸体支持部材
４３  リール取付板
４５  リール
４７  図柄
【図１】
2015173880.tif 000003
【図２】
2015173880.tif 000004
【図３】
2015173880.tif 000005
【図４】
2015173880.tif 000006
【図５】
2015173880.tif 000007
【図６】
2015173880.tif 000008
【図７】
2015173880.tif 000009
【図８】
2015173880.tif 000010